(57)【要約】【課題】利用者に面倒な操作をさせることなく、かつ実際に購入された投票券からだけでなく広い範囲の中から情報を収集すると共に、利用者へのサービスを向上する。【解決手段】レース情報システムは、オッズ情報印刷装置４と情報収集サーバ５とを具備する。オッズ情報印刷装置４は、プリペイドカードＡからカード固有の情報を読み取るカードＲ／Ｗ４０６と、操作画面７０で指定された所望のレースのオッズ情報を印刷指示するタッチパネルスイッチ付ＬＣＤ４０３と、印刷指示されたレースの予想オッズ情報とカードＲ／Ｗ４０６によりプリペイドカードＡから読み取られたカード固有の情報とをカード利用履歴として記憶する記憶装置４１３と、記憶装置４１３に記憶された予想オッズ情報およびカード固有の情報を情報収集サーバ５へ送信するデータ取得手段３０２とを備える。【選択図】図４
2005085147.tif 000002
【特許請求の範囲】
【請求項１】
プリペイドカードを用いて利用される、画面に表示されたレースのオッズ情報の中から利用者により印刷指示された予想オッズ情報を印刷するオッズ情報印刷装置にネットワークを介して接続された情報収集サーバにおいて、
前記オッズ情報印刷装置からネットワークへ送信されたレースの予想オッズ情報、前記プリペイドカードから読み取ったカード固有の情報を受信する受信手段と、
前記受信手段により受信されたレースの予想オッズ情報およびカード固有の情報を、データベースにカード利用履歴として保存する手段と、
前記オッズ情報印刷装置から新たなカード固有の情報が前記受信手段に受信された場合、前記カード固有の情報をキーに前記データベースのカード利用履歴を検索して該当カード利用履歴を依頼元へ返信する手段と
を具備したことを特徴とする情報収集サーバ。
【請求項２】
プリペイドカードを用いて利用される、画面に表示されたレースのオッズ情報の中か利用者により印刷指示された予想オッズ情報を印刷するオッズ情報印刷装置にネットワークを介して接続された情報収集サーバにおいて、
前記オッズ情報印刷装置から送信されたレースの予想オッズ情報、前記プリペイドカードから読み取ったカード固有の情報、前記レース管理サーバからのレース結果の情報を受信する受信手段と、
前記受信手段により受信されたレースの予想オッズ情報およびカード固有の情報とレース結果の情報とを基に予想的中率を算出しデータベースにカード利用履歴として保存する手段と、
前記オッズ情報印刷装置から新たなカード固有の情報が前記受信手段に受信された場合、前記カード固有の情報をキーに前記データベースのカード利用履歴を検索して該当カード利用履歴にある予想的中率の情報を依頼元へ返信する手段と
を具備したことを特徴とする情報収集サーバ。
【請求項３】
プリペイドカードを用いて利用される、画面に表示されたレースのオッズ情報の中から利用者により印刷指示された予想オッズ情報を印刷するオッズ情報印刷装置と、レースに出走する馬およびこの馬を操作する騎手の情報を記憶するレース管理サーバとにネットワークを介して接続された情報収集サーバにおいて、
前記オッズ情報印刷装置から送信されたレースの予想オッズ情報、前記プリペイドカードから読み取ったカード固有の情報、前記レース管理サーバからのレース結果の情報を受信する受信手段と、
前記受信手段により受信されたレースの予想オッズ情報およびカード固有の情報とレースに出走する馬の情報およびこの馬を操作する騎手の情報とを基に利用者の志向を分析しデータベースに記憶する手段と
を具備したことを特徴とする情報収集サーバ。
【請求項４】
プリペイドカードを用いて利用される、画面に表示されたレースのオッズ情報の中から利用者により印刷指示された予想オッズ情報を印刷するオッズ情報印刷装置において、
前記プリペイドカードからカード固有の情報を読み取るカード情報読取手段と、
前記画面で印刷を指定された予想オッズ情報と前記カード情報読取手段によりプリペイドカードから読み取られたカード固有の情報とをネットワークに接続された情報収集サーバへ送信する手段と、
前記プリペイドカードの再利用時に、少なくともカード固有の情報を前記情報収集サーバへ送信したことに対して、前記情報収集サーバが算出した予想的中率の情報を受信する受信手段と、
前記受信手段により受信された予想的中率の情報を前記画面に表示する手段と
を具備したことを特徴とするオッズ情報印刷装置。
【発明の詳細な説明】
【技術分野】
【０００１】
本発明は、競馬、競輪、競艇等におけるオッズ情報を含む各種情報を利用者に提供する情報収集サーバ、オッズ情報印刷装置に関する。
【背景技術】
【０００２】
従来から、競馬、競輪、競艇等のレース開催場あるいは場外レース券販売場等において、利用者（ファン）に対して、オッズ情報やレースの開催日、出走時刻、成績情報等のレース情報が提供されている。オッズ情報とはレース情報から抽出した全ての投票券（単勝、複勝、連勝複式、単勝複式等）についてのレースの配当を表す概算配当率の情報であり、この算出元になる情報は、実際に利用者に購入された投票券の情報からである。
【０００３】
従来の、例えば所望のレースのオッズ情報を利用者に提供する装置として、文字放送から受信した最新の生の公式オッズ情報をＲＡＭに記憶すると共に、そのオッズ情報をプリペイドカードを用いて所定のフォーマットで印字出力するオッズ情報出力装置が知られている（特許文献１参照）。
【特許文献１】特許第３２２１４５４号公報
【０００４】
ところで、レース開催場あるいは場外レース券販売場等には、レースの投票券を実際に購入する人だけでなくレースに興味がある人等、たくさんの人が来場しており、レースに関する情報を広く集める場としては理想的な環境にある。
【発明の開示】
【発明が解決しようとする課題】
【０００５】
しかしながら、上述した従来のオッズ情報出力装置は、利用者からの所望のオッズ情報入力操作に対して、該当オッズ情報をプリントアウトするだけの機能しか搭載されておらず、せっかくの情報収集の場を有効に活用できないという問題があった。
【０００６】
また、オッズ情報出力装置にアンケート等の情報収集専用の画面を単に作ったところで、面倒なだけであるため、利用者はそのための時間をさいてはくれない。
【０００７】
本発明はこのような課題を解決するためになされたもので、利用者に面倒な操作をさせることなく、かつ実際に購入された投票券からだけでなく広い範囲の中から情報を収集すると共に、利用者に対するサービスを向上することのできる情報収集サーバ、オッズ情報印刷装置を提供することにある。
【課題を解決するための手段】
【０００８】
上記した目的を達成するために本発明の情報収集サーバは、プリペイドカードを用いて利用される、画面に表示されたレースのオッズ情報の中から利用者により印刷指示された予想オッズ情報を印刷するオッズ情報印刷装置にネットワークを介して接続された情報収集サーバにおいて、前記オッズ情報印刷装置からネットワークへ送信されたレースの予想オッズ情報、前記プリペイドカードから読み取ったカード固有の情報を受信する受信手段と、前記受信手段により受信されたレースの予想オッズ情報およびカード固有の情報を、データベースにカード利用履歴として保存する手段と、前記オッズ情報印刷装置から新たなカード固有の情報が前記受信手段に受信された場合、前記カード固有の情報をキーに前記データベースのカード利用履歴を検索して該当カード利用履歴を依頼元へ返信する手段とを具備したことを特徴としている。
本発明の情報収集サーバは、プリペイドカードを用いて利用される、画面に表示されたレースのオッズ情報の中から利用者により印刷指示された予想オッズ情報を印刷するオッズ情報印刷装置にネットワークを介して接続された情報収集サーバにおいて、前記オッズ情報印刷装置から送信されたレースの予想オッズ情報、前記プリペイドカードから読み取ったカード固有の情報、前記レース管理サーバからのレース結果の情報を受信する受信手段と、前記受信手段により受信されたレースの予想オッズ情報およびカード固有の情報とレース結果の情報とを基に予想的中率を算出しデータベースにカード利用履歴として保存する手段と、前記オッズ情報印刷装置から新たなカード固有の情報が前記受信手段に受信された場合、前記カード固有の情報をキーに前記データベースのカード利用履歴を検索して該当カード利用履歴にある予想的中率の情報を依頼元へ返信する手段とを具備したことを特徴としている。
本発明の情報収集サーバは、プリペイドカードを用いて利用される、画面に表示されたレースのオッズ情報の中から利用者により印刷指示された予想オッズ情報を印刷するオッズ情報印刷装置と、レースに出走する馬およびこの馬を操作する騎手の情報を記憶するレース管理サーバとにネットワークを介して接続された情報収集サーバにおいて、前記オッズ情報印刷装置から送信されたレースの予想オッズ情報、前記プリペイドカードから読み取ったカード固有の情報、前記レース管理サーバからのレース結果の情報を受信する受信手段と、前記受信手段により受信されたレースの予想オッズ情報およびカード固有の情報とレースに出走する馬の情報およびこの馬を操作する騎手の情報とを基に利用者の志向を分析しデータベースに記憶する手段とを具備したことを特徴としている。
【０００９】
本発明のオッズ情報印刷装置は、プリペイドカードを用いて使用される、画面に表示されたレースのオッズ情報の中から利用者により印刷指示された予想オッズ情報を印刷するオッズ情報印刷装置において、前記プリペイドカードからカード固有の情報を読み取るカード情報読取手段と、前記画面で印刷を指定された予想オッズ情報と前記カード情報読取手段によりプリペイドカードから読み取られたカード固有の情報とをネットワークに接続された情報収集サーバへ送信する手段と、前記プリペイドカードの再利用時に、少なくともカード固有の情報を前記情報収集サーバへ送信したことに対して、前記情報収集サーバが算出した予想的中率の情報を受信する受信手段と、前記受信手段により受信された予想的中率の情報を前記画面に表示する手段とを具備したことを特徴としている。
【００１０】
本発明では、利用者がプリペイドカードをオッズ情報印刷装置に挿入して画面にレースのオッズ情報を表示させ、画面に表示したオッズ情報の中から所望のオッズ情報を印刷指示すると、プリペイドカードから読み取ったカード固有の情報と、画面で印刷指示した予想オッズ情報とを情報収集サーバへ送信するので、利用者に面倒な操作をさせることなく、かつ実際に購入された投票券からだけでなく広い範囲の中から情報を収集することができる。
本発明では、オッズ情報印刷装置にプリペイドカードが再利用されたときに、少なくともカード固有の情報を情報収集サーバへ送信したことに対して、情報収集サーバが算出した予想的中率の情報を受信し画面に表示するので、収集した情報を活用して利用者に対しサービスを向上することができる。
【発明の効果】
【００１１】
以上説明したように本発明によれば、利用者に面倒な操作をさせることなく、かつ実際に購入された投票券からだけでなく広い範囲の中から情報を収集すると共に、利用者に対するサービスを向上することができる。
【発明を実施するための最良の形態】
【００１２】
以下、本発明に係る一つの実施の形態のレース情報システムを図面を参照して詳細に説明する。図１はこの実施の形態のレース情報システムの構成を示す図、図２はレース情報システムのオッズ情報印刷装置の外観斜視図、図３は図２のオッズ情報印刷装置のハード構成を示す図、図４は図２のオッズ情報印刷装置のソフト構成を示す図、図５はレース情報システムの情報収集サーバの構成を示すブロック図である。
【００１３】
本実施形態は、レース開催が競馬であり、文字情報システム１からオッズ情報印刷装置４に配信された文字放送データからオッズ情報等の開催情報を取得すると共に、競馬利用者が投入したプリペイドカードＡからカード固有の情報を取得し、これらの情報と競馬利用者が入力した所望の馬番賭式を基にオッズの印刷を行ったときにそれらの情報を情報収集サーバ５が吸い上げて、利用者の予想に対する的中率を算出して次回利用時にその的中率の算出結果の情報を表示し、あるいは利用者の志向を分析する例である。
【００１４】
図１に示すように、レース情報システムは、文字情報システム１と、この文字情報システム１に映像信号線２を介して接続されたオッズ情報印刷装置４と、このオッズ情報印刷装置４にＬＡＮ３を介して接続された情報収集サーバ５と、この情報収集サーバ５にＬＡＮ３を介して接続されたレース管理サーバ６とから構成されている。
【００１５】
レース管理サーバ６は、競馬開催に係る各種情報を取扱う管理センタ等に設置されている。レース管理サーバ６には、レースに出走する馬、騎手等の情報を蓄積した出馬表データベース６０１（以下出馬表ＤＢ６０１と称す）と、レース終了後の結果であるレースの確定情報を記憶するレース結果データベース（以下レース結果ＤＢ６０２と称す）が設けられている。出馬表ＤＢ６０１には、レースに出走する馬の情報およびこの馬を操作する騎手の情報が記憶されている。
【００１６】
オッズ情報印刷装置４は、競馬場および／または場外馬券売場等に設置されている。情報収集サーバ５の設置場所は、競馬場、場外馬券売場、管理センタのうちいずれであっても良いが、この例では、オッズ情報印刷装置４と同じ場所、つまり競馬場および／または場外馬券売場に設置されているものとする。
オッズ情報印刷装置４は、文字情報システム１より映像信号線２を通じて配信される文字放送データを受信し、該受信データからオッズ情報（概算配当率）、開催場所（レース場）、レース番号等のレース情報、賭式種別情報、レース結果、馬体重等の馬情報等の開催情報を取得（抽出）し、本装置を利用する利用者が投入したプリペイドカードＡから読み取った情報に基づいて情報を提供する。オッズ情報印刷装置４は、プリペイドカードＡから読み取った情報に基づいて画面にレースのオッズ情報を表示し、画面のオッズ情報の中から利用者により印刷指示された予想オッズ情報を印刷する。
【００１７】
オッズ情報印刷装置４は、利用者が印刷の指示を行った予想オッズ情報とプリペイドカードから読み取ったカード固有の情報(カード識別情報としてのカードＩＤ、利用者が個々に設定した数桁、例えば4桁等の個別設定番号情報、個々のオッズ情報印刷装置自体の識別番号等)を情報収集サーバ５へ送信する。カード固有の情報を送信するタイミングは、オッズ情報をプリンタアウトしたときでもよく、記憶装置４１３にバッファリングしておき、所定の時刻あるいは所定時間間隔で一括送信してもよい。
【００１８】
図２に示すように、オッズ情報印刷装置４は、台４０１及び筐体４０２を有している。筐体４０２には、利用者に対してオッズ情報の選択のための表示及び選択指示を受け付ける表示操作部としてのタッチパネルスイッチ付きＬＣＤ４０３、本機が不具合を生じたときに呼出ボタン４０５により係員を呼び出すための呼出ボタン４０４、本機によるオッズ情報の印刷による提供の対価を支払うための例えばプリペイドカードＡが挿入されるカードリードライタ４０６（以下カードＲ／Ｗ４０６と称す）、本機の内部点検のため扉開閉用の扉鍵４０７、利用者に対し操作手順を音声で知らせ、あるいは係員の呼び出し等を音声で知らせるスピーカ４０８、オッズ情報等を紙出力するプリンタ４０９、紙出力されたオッズ情報プリントを利用者が取り出すための取出口４１０が設けられている。
【００１９】
また、筐体４０２の内部には、図３に示すハードウェアが備えられている。
図３において、４１１はバスである。このバス４１１には、制御装置４０１、タッチパネルスイッチ付きＬＣＤ４０３、呼出ボタン４０４、カードＲ／Ｗ４０６、スピーカ４０８、プリンタ４０９等が接続されている。制御装置４００は、中央演算装置、つまりＣＰＵ等であり、図４のソフトウェアによる処理の実行で装置内の各部を制御する。
また、バス４１１には、文字情報システム１より映像信号線２を通じて配信される文字放送データを受信するチューナ４１２と、このチューナ４１２で受信した文字放送データや後述するソフトウェアで構成される各手段で加工、作成、集計、受信された各データを記憶する記憶装置４１３と、情報収集サーバ５と情報の通信(送受信)を行うためのＬＡＮインターフェース４１４（以下ＬＡＮＩ／Ｆ４１４と称す）とが接続されている。
【００２０】
なお、記憶装置４１３には、管理ファイル、オッズ要項ファイル、馬体重ファイル、オッズファイル、ガイダンスファイル、競走成績ファイル、受信トレースファイル、動作管理ファイル、カード情報ファイル、カード使用履歴ファイル、課金情報ファイル、統計情報ファイル、エラーログファイル等が記憶されている。
【００２１】
管理ファイルは、文字放送チューナ４１２から受信する開催情報の情報受信状況を記憶するファイルである。オッズ要項ファイルは、開催情報に含まれる各レースのオッズ情報（概算配当率）に付属する賭式の種別や、各賭式種別毎の発売要項（発売の有無等）を記憶するファイルである。馬体重ファイルは、レースに出走する馬の馬体重を記憶するファイルである。
【００２２】
オッズファイルは、各レースのオッズ情報を記憶するファイルである。競走成績ファイルは、各レースの結果（競走成績）を記憶するファイルである。ガイダンスファイルは、この装置の操作手順等を示すガイダンス情報を記憶するファイルである。受信トレースファイルは、文字放送チューナ４１２から受信した開催情報のトレースを記憶するファイルである。動作管理ファイルは、このレース情報システムのシステム情報（装置内の日時、装置特定番号、稼動時間等）と装置の動作管理情報（装置の動作を制御するための情報）を記憶するファイルである。
【００２３】
課金情報ファイルは、印刷サービスの課金情報を記憶するファイルである。統計情報ファイルは、情報収集サーバ５から受信されたプリペイドカードＡの使用履歴(カード利用状況、印刷したオッズ情報等)、カード使用に関する統計情報等を記憶するファイルである。エラーログファイルは、装置のエラーログを記憶するファイルである。
【００２４】
カード情報ファイルは、挿入されたプリペイドカードの正当性を確認するためのカード情報（登録済みのカードＩＤ、ユーザが設定した個別設定番号情報、登録時のオッズ情報印刷装置番号等）を記憶するファイルである。
【００２５】
カード情報ファイルは、カードＲ／Ｗ４０６によりプリペイドカードＡから読み取られたプリペイドカードの情報を記憶するファイルである。プリペイドカードＡから読み取られる情報としては、カード残額、カード固有の情報などである。カード固有の情報は、カード識別情報としてのカードＩＤ、利用者が個々に設定した数桁、例えば４桁等の個別設定番号情報、個々のオッズ情報印刷装置自体の識別番号等である。
カード固有の情報は、利用者がカード購入時に所望により指定した所定の桁数の英数字と予めカード個別に割り振られる番号を組み合わせたものである。この例では、プリペイドカードＡの情報として、カードＩＤが例えば「05」、個別設定番号情報が例えば「5632」、オッズ情報印刷装置自体の識別番号が例えば「71」等と記憶されているものとする。
なお、これ以外にもカード固有の情報を決めるやり方はある。
【００２６】
オッズ情報印刷装置４のソフトウェアは、図４に示すように、汎用のオペレーティングシステム２０（以下汎用ＯＳ２０と称す）、アプリケーションソフト及びミドルウェア３０で構成されている。これら汎用ＯＳ２０とアプリケーションソフト及びミドルウェア３０等のソフトウェアは、協動して処理を実行する。
アプリケーションソフト及びミドルウェア３０は、情報設定手段３０１、データ取得手段３０２、カードＲ／Ｗ制御手段３０３、印刷制御手段３０４、表示制御手段３０５、料金計算手段３０６等を有している。
【００２７】
情報設定手段３０１は、本装置の動作を制御する動作制御情報を設定する。データ取得手段３０２は、チューナ４１２で受信した文字放送データからオッズ情報等の開催情報を取得する。データ取得手段３０２は、記憶装置４１３に記憶されたレースの予想オッズ情報およびカード固有の情報をＬＡＮ３を介して接続された情報収集サーバ５へ送信する。データ取得手段３０２は、プリペイドカードＡが再度利用されたときに、少なくともカード固有の情報を情報収集サーバ５へ送信し、これに対して、情報収集サーバ５が算出した予想的中率の情報を受信する受信手段として機能する。
カードＲ／Ｗ制御手段３０３は、カードＲ／Ｗ４０６によって読み書きされるプリペイドカードＡの情報の読み出しおよび書き込みを制御する。カードＲ／Ｗ制御手段３０３は、具体的にはプリペイドカードＡに記憶されているカード固有の情報を読み取る。印刷制御手段３０４は、プリンタ４０９へ印刷データを送信して印刷を制御する。表示制御手段３０５は、情報設定手段３０１にて設定された動作制御情報に基づきタッチパネルスイッチ付きＬＣＤ４０３の表示制御、つまり画面の表示制御を行う。表示制御手段３０５は、データ取得手段３０２により受信された予想的中率の情報を画面にホップアップ表示する。
【００２８】
料金計算手段３０６は、情報設定手段３０１にて設定された制御情報と表示制御手段３０５で受け付けた利用者の指示内容、プリペイドカードから読み取りカード情報ファイルに記憶した情報（残額等）に基づき料金（課金額）を計算し、課金額を課金情報ファイルに記憶する。
表示制御手段３０５は、タッチパネルスイッチ付きＬＣＤ４０３へ表示データを送信する機能と、タッチパネルスイッチ付きＬＣＤ４０３からの入力データを受け付ける機能を備えている。
なお、情報設定手段３０１、データ抽出手段３０２、カードＲ／Ｗ制御手段３０３、印刷制御手段３０４、表示制御手段３０５は、記憶装置４１３との情報の読み書きを行う機能も備えている。
【００２９】
このレース情報提供システムの情報収集サーバ５は、図５に示すように、通信インターフェース（通信Ｉ／Ｆ５０１）と、記憶部５０２と、データ処理部５０３と、利用履歴および分析集計した結果等を蓄積するデータベース５０４（以下ＤＢ５０４と称す）とを備えている。通信Ｉ／Ｆ５０１は、オッズ情報印刷装置４とＬＡＮ３を通じて情報の通信（送受信）を行う。ＤＢ５０４には、利用履歴および分析集計した結果等が蓄積されている。データ処理部５０３は、オッズ情報印刷装置４から通信Ｉ／Ｆ５０１に受信されたプリペイドカードの利用情報を記憶部５０２に記憶し、データ処理を行い、処理結果のデータをＤＢ５０４に蓄積する。データ処理部５０３が行うデータ処理は、例えばプリペイドカードの利用情報とレース管理サーバ６から受信した出馬表とを基に利用者がどの競馬場、馬券売り場によく来るか、どの馬、どの騎手に興味を抱いているか等を分析する処理である。この他、データ処理部５０３は、前回利用者がプリペイドカードを利用してオッズ情報印刷したときのオッズ情報とそのときに確定した勝ち馬の情報とを基に予想がどれだけ当たったかを示す的中率を算出する。また、データ処理部５０３は、ＤＢ５０４に蓄積したデータを基にして過去何回かの通算的中率を算出する。
【００３０】
以下、図６〜図８を参照してこの実施の形態のレース情報システムの動作を説明する。図６はオッズ情報印刷装置の動作を示すフローチャート、図７はオッズ情報印刷装置の受付画面を示す図、図８はレース情報システムにおけるオッズ情報印刷装置の操作画面と情報収集サーバとのデータのやり取りを示す図。
レース情報システムは、利用者に対する開催情報を提供する機能と、提供した情報をカード毎、あるいはユーザ毎に利用履歴として記憶する機能と、利用履歴を利用者へ提供する機能とを備えているので、これら一連の動作について説明する。
【００３１】
競馬場に来場した利用者がオッズ情報印刷装置４の前に立つか、プリペイドカードＡが挿入されるか、あるいは画面上から開始操作が行われると、オッズ情報印刷装置４のデータ取得手段３０２は、記憶装置４１３に記憶されている管理ファイル、オッズ要項ファイル、馬体重ファイル、競走成績ファイル、ガイダンスファイルから開催情報及びガイダンス情報を読み出し、表示制御手段３０５に出力するので、表示制御手段３０５により図７に示す受付画面が表示される（ステップＳ１）。
【００３２】
図７に示す受付画面は、利用者に対する開催情報を提供する画面であり、本装置から印刷するための情報として利用者に提供するオッズ情報欄５１０、オッズ情報欄５１０に表示されている情報がいつ開催されるレースに関する情報かを示す提供情報内容表示欄５２０、オッズ情報欄５１０に表示する提供情報を切り替えるための切替欄５３０、操作手順等を示すガイダンス欄５４０、挿入されたプリペイドカードＡの残金を表示するカード情報欄５５０Ａ、利用者が指定した印刷にかかる料金を表示する印刷料金欄５５０Ｂ、レース情報システムの状態を示す状態表示欄５６０等を備えている。
【００３３】
具体的には、オッズ情報欄５１０は、レース開催日を単位として例えば同日開催の３つのレース場を縦軸に、各レース場毎の例えば12回のレース番号を横軸に表示し、各レース場の各レース毎の賭式種別情報を該当欄に表示する。この賭式種別情報の表示内容としては、例えば、単勝、複勝、枠連、馬連、ワイド、馬単、3連馬の1または複数の組合せと、馬体重の有り無し、およびオッズ情報の印刷にかかる料金である。また、馬券の販売が終了したレースの該当欄には、レース締切を表示し、レースが終了した場合には、レースの該当欄に競走成績が表示される。この画面自体は、タッチパネルスイッチ付きＬＣＤ４０３で構成されているため、操作者は画面に表示されたレース番号等の所望の欄を指で触れると、指示内容がデータ取得手段３０２に認識される。
【００３４】
提供情報表示欄５２０は、現在表示されている開催情報がいつ開催されるレースに関する情報かを示す欄であり、ここでは、当日開催されるレースの情報を表示していることを示している。
【００３５】
切替欄５３０は、オッズ情報欄５１０に表示されている情報を変更する欄であり、翌日に開催されるレースの情報を表示したい場合に、現在表示されている「前日ボタン」を指示すると、翌日に開催されるレースに関する開催情報に切り替わり、同様の開催情報が表示される。
【００３６】
ガイダンス欄５４０は、本装置の利用者に対して、本装置の操作手順（オッズ情報の選択及び印刷等）を表示制御手段３０５が記憶装置４１３のガイダンスファイルよりガイダンス情報を読み出し、文字表示する欄である。
【００３７】
カード情報欄５５０Ａは、利用者がカードＲ／Ｗ４０６に挿入したプリペイドカードＡの残額をカードＲ／Ｗ制御手段３０３で読み取りする欄である。印刷料金欄５５０Ｂは、印刷するためにかかる料金を表示制御手段３０５が記憶装置４１３の課金情報ファイルより抽出し表示する欄である。
【００３８】
状態表示欄５６０は、現在の動作がオッズ情報の選択、印刷等の取り扱いかメンテナンス等の取り扱いかを明示する欄である。
【００３９】
続いて、利用者が、ガイダンス欄５４０の表示内容に従い、オッズ情報印刷装置４を利用するための料金（残額）が記憶されたプリペイドカードＡをカードＲ／Ｗ４０６に挿入すると(ステップＳ２)、カードＲ／Ｗ制御手段３０３によりプリペイドカードＡから情報が読み出されて記憶装置４１３に一旦記憶される。これと同時にデータ取得手段３０２は、記憶装置４１３に記憶されているカード情報ファイルから、プリペイドカードの正当性を確認するための情報を読み出して、プリペイドカードＡから読み取った情報と照合することでプリペイドカードＡの正当性をチェックする（ステップＳ３）。
プリペイドカードＡには、識別子（利用可能サービスの識別情報（例えば、競馬、競輪、競艇等のどのサービスを利用可能かを示すコード）、カード種別、カード番号（カードの作成年月日、通番）、カード残額（作成時の初期金額、残金）、更新利用年月日（最終利用年月日）、使用装置番号が暗号化されて記憶されている。また、プリペイドカードＡには、暗号化された情報をカードＲ／Ｗ制御手段３０３にて読み取った際に復号化するための鍵情報が記憶されている。
【００４０】
同様に、記憶装置４１３のカード使用履歴ファイルにも、識別子（利用可能サービスの識別情報（例えば、競馬、競輪、競艇等のどのサービスを利用可能かを示すコード）、カード種別、カード番号（カードの作成年月日、通番）、カード金額（作成時の初期金額、残金）、更新情報（最終利用年月日、時刻）、使用装置番号、プリペイドカードＡに暗号化されて記憶されている各種情報を復号化するための復号化キーが記憶されているので、データ取得手段３０２は、使用履歴ファイルに記憶された情報を読み出し、復号化キーを使用して復号化して記憶装置４１３に一次記憶する。そして、データ取得手段３０２は、カードＲ／Ｗ４０６によってプリペイドカードＡから読み取られ複合化した各種情報と記憶装置４１３に記憶した使用履歴ファイルの情報とを照合して互いの情報が適合した場合は、正当なプリペイドカードＡとして判定する。また、不適合の場合は、不正なカードと判断し、使用不可としてカードＲ／Ｗ４０６からプリペイドカードＡを排出する。
【００４１】
正当性の確認によって、データ取得手段３０２が、正当なカードと判定した場合、プリペイドカードＡの残金等を確認し使用可能な場合には、続いて表示制御手段３０５によりオッズをプリントする操作画面が表示される。この操作画面では、所望の競馬場、レース、賭式、賭式の中で所望のオッズを選択操作できる。
なお、比較する情報として、必ずしも上記全ての情報と比較する必要はなく、少なくとも、使用装置番号、更新情報、カード残額と比較することで正当性を判定できる。一方、挿入されたプリペイドカードＡが残額不足、本装置のサービス利用対象外（識別子のエラー）のカード等の場合、カードＲ／Ｗ制御手段３０３は、使用不可能なカードと判定してカードＲ／Ｗ４０６を制御してそのカードＡを排出する。表示制御手段３０５は、画面にプリペイドカードＡの再挿入を促す旨のメッセージを表示させてプリペイドカードＡの再挿入を促す。
【００４２】
利用者が操作画面で、例えばこの競馬場の5レース（5R）、賭式を「馬連」を指定して、いくつかの組み合わせの所望の馬券を指定した場合（ステップＳ４）、データ取得手段３０２により、指定された情報が記憶装置４１３から読み出されて表示制御手段３０５を通じてタッチパネルスイッチ付ＬＣＤ４０３に出力されるので、図８に示すような操作画面７０となる。
【００４３】
図８の操作画面７０には、レース番号として「5R」、カードＮｏとしての例えば「05-5632-71」、追加するオッズの指定を促すメッセージ、今回指定した馬番連勝式の勝ち馬の馬番号の組み合わせとして「1」-「5」、「5」-「3」、「2」-「8」、「6」-「10」、プリントの実行を指示するボタンとして「プリント」と表示されたアイコンボタン等が表示される。
【００４４】
ここで、利用者が「プリント」のアイコンボタンを操作することで、オッズ情報の印刷実行を指示すると（ステップＳ６）、印刷制御装置３０４は、指示されたレースのオッズ情報を記憶装置４１３のオッズファイルから読み出して、オッズ情報を印刷データとしてプリンタ４０７へ送り、プリンタ４０７によりオッズ情報プリントが印刷して出力される（ステップＳ７）。
印刷と共に、料金計算手段３０７は、計算した印刷料金を、挿入されているプリペイドカードＡから引き去る精算処理を行い、カードＲ／Ｗ制御手段３０４にてプリペイドカードＡへ精算処理の結果の更新情報を書き込み、カードＲ／Ｗ４０６からプリペイドカードＡを排出する。精算処理の結果としては例えばカード残額、更新利用年月日、使用装置番号等である。
また、料金計算手段３０７は、精算処理の結果とオッズ情報を印刷した結果（予想オッズ情報）とを記憶装置４１３のカード使用履歴ファイルにカード使用履歴として記憶する（ステップＳ８）。オッズ情報を印刷した結果（予想オッズ情報）としては、カードＮｏ「05-5632-71」、予想点数「4」、予想馬券「1-5、5-3、2-8、6-10」等である。
【００４５】
このようにして競馬場内に設置されている複数のオッズ情報印刷装置４には、利用者がプリペイドカードＡを利用した結果のカード利用履歴が記憶（蓄積）される。カード利用履歴は、操作終了と共に、あるいは所定時間間隔で、データ取得手段３０２により記憶装置４１３のカード使用履歴ファイルから読み出されてオッズ情報印刷装置４からＬＡＮＩ／Ｆ４１４を通じて情報収集サーバ５へ送信される（ステップＳ９）。
【００４６】
情報収集サーバ５では、オッズ情報印刷装置４から送信されたカード利用履歴を通信Ｉ／Ｆが受信してデータ処理部５０３に渡す。データ処理部５０３は、受け取ったカード利用履歴を記憶部５０２に記憶する（ステップＳ１０）。
【００４７】
データ処理部５０３は、記憶部５０２に記憶したカード利用履歴に含まれるカードＮｏを基にＤＢ５０４を検索して該当カードＮｏを有するカード利用履歴が既に存在するかどうかをチェックする。このチェックの結果、ＤＢ５０４に該当カードＮｏを有するカード利用履歴が既に存在した場合、データ処理部５０３は、ＤＢ５０４の該当カードＮｏを有すカード利用履歴に、記憶部５０２に記憶した新たなカード利用履歴を含めるようにＤＢ５０４のデータ更新を行う。
また、上記チェックの結果、ＤＢ５０４に該当カードＮｏを有するカード利用履歴が存在しない場合、データ処理部５０３は、ＤＢ５０４に新たなカードＮｏでカード利用履歴を付加するようにＤＢ５０４のデータ更新を行う。
【００４８】
その後、第５レースが終了すると、レース管理サーバ６よりレース結果の確定情報が情報収集サーバ５の通信Ｉ／Ｆ５０１に受信されるので、データ処理部５０３は、レース結果の確定情報を記憶部５０２に記憶する。この例の場合、第５レース終了後の確定情報である払い戻し金情報として、例えば2番−8番という馬番と配当金89720円がレース管理サーバ６より受信されたものとする。
【００４９】
データ処理部５０３は、記憶部５０２に記憶された払い戻し金情報の馬番と、ＤＢ５０４の該当カードＮｏ（プリペイドカードＡ）のカード利用履歴の予想馬券とを基に今回（第５レース）の予想に対する的中率とこれまでの通算的中率とを算出し（ステップＳ１１）、これらの的中率算出結果である予想的中率をＤＢ５０４の該当カード利用履歴に記憶する（ステップＳ１２）。これまでの通算的中率は、この場合、レース当日の通算的中率とするが、他の日をまたいだ的中率でも良い。
この例では、予想点数4点に対して1点が的中していたので、予想点数を的中した点数で割って的中率は１／４、つまり25％と算出される。また、これまでの通算的中率としては、第１レースから第５レースまでの予想点数を的中した点数で割って通算的中率を算出する。この例では、20％となったものとする。なお、この他の情報を付加し、あるいは計算式を変える等してさまざまな値を算出しても良い。
【００５０】
利用者が次回予想時、つまり、オッズ情報印刷装置４にプリペイドカードＡが挿入されてそのプリペイドカードＡの情報をカードＲ／Ｗ４０６が読み取り、利用者が操作画面７０で例えば第６レースの予想馬券を指定したとき、データ取得手段３０２は、プリペイドカードＡから読み取った情報に含まれるカードＮｏを情報収集サーバ５へ送信して照会を依頼する。
【００５１】
情報収集サーバ５では、カードＮｏによる依頼を通信Ｉ／Ｆで受け取ると、データ処理部５０３は、受け取ったカードＮｏをキーにしてＤＢ５０４を検索し、該当カードＮｏを有するカード利用履歴を要求元のオッズ情報印刷装置４へ返信する（ステップＳ１３）。
【００５２】
オッズ情報印刷装置４では、照会依頼に対する返信として、情報収集サーバ５から送信されたカード利用履歴がＬＡＮＩ／Ｆ４１４を通じてデータ取得手段３０２に受信されると、データ取得手段３０２は、操作画面７０にホップアップ画面７１をホップアップさせてカード利用履歴に含まれる予想的中率の情報を表示する。
ホップアップ画面７１に表示される予想的中率の情報は、例えば「5R確定は2番-8番  あなたの的中率は25％です。本日の的中率は20％です。」等のメッセージである。なお、この他の表示のさせ方としては、例えば操作画面７０の空き領域に上記メッセージをスクロール表示しても良い。
情報収集集サーバ５では、データ処理部５０３が、レース管理サーバ６の出馬表ＤＢ６０１から取得した出馬表とＤＢ５０４に蓄積したカード利用履歴とを用いて利用者の志向性を分析する。
【００５３】
このようにこの実施形態のレース情報システムによれば、競馬場、馬券売場等に設置したオッズ情報印刷装置４を利用者が利用してレース単位、馬番単位で印刷内容を指定する際に、プリペイドカードＡのレース単位の馬番の予想オッズ情報（的中する前の利用者の予想オッズ情報を情報収集サーバ５のＤＢ５０４に蓄積、あるいは予想オッズ情報の統計を取った結果をＤＢ５０４に蓄積しておき、利用者が次回利用する際に、ＤＢ５０４に蓄積しておいた予想オッズ情報とレース後の確定情報である払い戻し金情報とから求めた的中率（的中情報）を、オッズ情報印刷装置４の画面に表示するので、利用者個人の予想がどの程度的中していたのかを利用者が確認することができる。個人の予想に対する結果を表示することによって、購買意欲を増加させる新たなサービスとなる。
【００５４】
また、情報収集集サーバ５において、データ処理部５０３がＤＢ５０４に蓄積したカード利用履歴とレース管理サーバ６から取得した出馬表を用いて利用者の志向性を分析することで、利用者がどのような馬に興味を持つか等の利用者の志向性を掴むことができる。例えば、ｘｘという馬やｙｙという騎手の宣伝をした場合、どのような宣伝をすると、その馬、騎手に興味が集まるかという情報に結び付けることができる。
【００５５】
なお、本発明は上記実施形態のみに限定されるものではない。
上記実施形態では、競馬場に設置されたオッズ情報印刷装置４にてプリペイドカードＡの利用履歴を収集したが、この他、インターネットアクセス機能付きコンピュータや携帯端末を利用者が利用している場合は、これらの機器にインターネットを通じてオッズ情報が提供される中で、利用者による予想情報を情報収集サーバ５が取得しても良い。また、競馬場や馬券売り場に限らず、例えば、駅、公共施設、店舗等に設置された利用者に提供される各種情報（イベント情報、飲食店情報、地図情報、乗り物（電車、バス等）等）を提供する装置にも適用できる。この場合、利用者に提供される情報は、予め記憶装置４１３に記憶されており、データ取得手段３０２により、記憶装置４１３から提供情報を取得して、表示制御手段３０５を介して画面に各種情報が表示される。
また、上記実施形態では、磁気式のプリペイドカードＡを利用した情報提供について説明したが、この他、ＩＣ式のプリペイドカード、つまりＩＣカードを利用しても良い。
【図面の簡単な説明】
【００５６】
【図１】本発明の一実施形態に係るレース情報システムの概要構成を示す図。
【図２】レース情報システムのオッズ情報印刷装置の外観斜視図。
【図３】図２のオッズ情報印刷装置のハード構成を示す図。
【図４】図２のオッズ情報印刷装置のソフト構成を示す図。
【図５】レース情報システムの情報収集サーバの構成を示すブロック図。
【図６】レース情報システムにおけるオッズ情報印刷装置の動作を示すフローチャート。
【図７】オッズ情報印刷装置の受付画面を示す図。
【図８】オッズ情報印刷装置の操作画面と情報収集および情報提供動作を示す図。
【符号の説明】
【００５７】
１…文字情報システム、２…映像信号線、３…ＬＡＮ、４…オッズ情報印刷装置、５…情報収集サーバ、６…レース管理サーバ、３０１…情報設定手段、３０２…データ取得手段、３０３…カードＲ／Ｗ制御手段、３０４…印刷制御手段、３０５…表示制御手段、３０６…料金算出手段、４００…制御装置、４０１…台、４０２…筐体、４０３…タッチパネルスイッチ付きＬＣＤ、４０４…呼出ボタン、４０６…カードＲ／Ｗ、４０７…開閉扉鍵、４０８…スピーカ、４０９…プリンタ、４１０…取出口、６０１…出馬表ＤＢ、６０２…レース結果ＤＢ。
【図１】
2005085147.tif 000003
【図２】
2005085147.tif 000004
【図３】
2005085147.tif 000005
【図４】
2005085147.tif 000006
【図５】
2005085147.tif 000007
【図６】
2005085147.tif 000008
【図７】
2005085147.tif 000009
【図８】
2005085147.tif 000010